(57)【要約】【課題】衝撃吸収能が高く内容物の破損を防止し得る化粧料容器を提案する。【解決手段】化粧料の収納空間を有する容器本体（１）と、この容器本体（１）に蝶番を介して枢着され容器を密閉保持する蓋体（３）とを備えた化粧料容器において、前記容器本体（１）の収納空間（ｎ）に、化粧料を充填した中皿（２）を吊り下げるとともに該中皿（２）を着脱自在に保持する衝撃吸収用のクッション部材（４）を配置する。【選択図】図１
2005304850.tif 000002
【特許請求の範囲】
【請求項１】
化粧料の収納空間を有する容器本体と、この容器本体に蝶番を介して枢着され容器を密閉保持する蓋体とを備えた化粧料容器であって、
前記容器本体の収納空間に、化粧料を充填した中皿を吊り下げるとともに該中皿を着脱自在に保持する衝撃吸収用のクッション部材を配置したことを特徴とする化粧料容器。
【請求項２】
前記クッション部材は、中皿の化粧料取り出し開口を除く全面を取り囲む凹断面形状になる請求項１記載の化粧料容器。
【請求項３】
前記クッション部材は、その底部に容器本体の底面に接触する少なくとも１つの凸部を有する請求項１又は２記載の化粧料容器。
【請求項４】
前記クッション部材は、前記中皿を係止する係合片を有する請求項１〜３の何れかに記載の化粧料容器。
【請求項５】
前記容器本体は、その底部に、中皿の底をクッション部材とともに押圧して該クッション部材から中皿を取り外す手段を有する請求項１〜４の何れかに記載の化粧料容器。
【発明の詳細な説明】
【技術分野】
【０００１】
本発明は、ファンデーションやアイシャドー等の化粧料を入れるのに適した化粧料容器に関するものであり、容器の落下等による衝撃を効果的に吸収して内容物の破損を確実に防止しようとするものである。
【背景技術】
【０００２】
コンパクトに代表される化粧料容器は、レフィルタイプの中皿（ドラム）を備えた構造のものが多く存在しており、とくに、プレストパウダー等を内容物として収容する容器においては落下等による衝撃に起因した割れを防止する目的で、該中皿を軟質材（ゴム、熱可塑性エラストマー等）を介して容器本体に弾性支持するようにしていた（例えば、特許文献１参照）。
【特許文献１】実用新案登録第２５３６７２０号公報
【０００３】
ところで、上記のような従来の容器では、衝撃に対する吸収能力が十分とはいえないのが現状であった。
【発明の開示】
【発明が解決しようとする課題】
【０００４】
本発明の課題は、落下等によって加えられる衝撃を効果的に吸収して内容物の破損を回避できる新規な化粧料容器を提案するところにある。
【課題を解決するための手段】
【０００５】
本発明は、化粧料の収納空間を有する容器本体と、この容器本体に蝶番を介して枢着され容器を密閉保持する蓋体とを備えた化粧料容器であって、
前記容器本体の収納空間に、化粧料を充填した中皿を吊り下げるとともに該中皿を着脱自在に保持する衝撃吸収用のクッション部材を配置したことを特徴とする化粧料容器である。
【０００６】
上記の構成になる化粧料容器において、前記クッション部材は、中皿の化粧料取り出し開口を除く全面を取り囲む凹断面形状になるものが好ましい。
【０００７】
また、前記クッション部材は、その底部に容器本体の底面に接触する少なくとも１つの凸部を設けることができる。
【０００８】
さらに、前記クッション部材は、前記中皿を係止する係合片を設けることが可能であり、前記容器本体については、その底部に、中皿の底をクッション部材とともに押圧して該クッション部材から中皿を取り外す手段を形成することができる。
【発明の効果】
【０００９】
中皿をクッション部材を介して容器本体の化粧料収納空間に吊り下げ保持することで、該中皿を上下、左右に弾性支持することが可能となり、容器に衝撃が加えられたときに該クッション部材にて衝撃が効果的に緩和される。
【発明を実施するための最良の形態】
【００１０】
以下、図面を用いて本発明をより具体的に説明する。
図１は本発明にしたがう化粧料容器の外観斜視図であり、図２はその分解状態を要部について示した斜視図であり、図３は要部の断面を示した図である。
【００１１】
図１〜３における１は中枠を適宜に組み合わせて構成され化粧料の収納空間ｎ（以下、化粧料収納空間ｎと記す。）を有するＡＳ・ＡＢＳなどの樹脂で形成される容器本体、２は容器本体１の収納空間ｎに配置される中皿、３は容器本体１と同等の樹脂にて構成され、該容器本体１に蝶番を介して枢着され容器を密閉保持する蓋体である。
【００１２】
また、４は容器本体１の中枠１ａにインサート成形によって一体的に設けることができる衝撃吸収用のクッション部材である（図２、図３参照）。このクッション部材４は中枠１ａの下面から吊り下げられており（容器本体１の底面には届いていない。）、プレストパウダー等を化粧料として充填した中皿２をその凹部に嵌め込んで化粧料収納空間ｎにおいて吊り下げ保持する。
【００１３】
５はクッション部材４に一体的に設けられ中皿２の凹部２ａに嵌まり込んで該中皿２を係止する係合片（図３参照）、６は容器本体１の底面に設けられそこを通して中皿２の底をクッション部材４とともに押圧する開口、そして７はパフ等の塗布具を収納する塗布具収納空間である。
【００１４】
中皿２はクッション部材４を介して容器本体１の収納空間ｎに弾性的に支持されており、この状態で容器に衝撃が加えられてもその衝撃はクッション部材４によって上下、左右において効果的に吸収され、中皿２への影響は極めて軽減されたものとなる。
【００１５】
また、中皿２を交換する際には、容器本体１の底面に形成された押圧用の開口６より指を挿入してクッション部材４の底面を押し上げればよく、これにより、該クッション部材４の変形にあわせて中皿２が押し上げられることになり中皿２の交換も容易に行い得る。
【００１６】
なお、本実施例では、中皿２を交換するための手段として開口６を設けた場合について示したが、本発明はこれに限るものではなく、例えば、容器本体１の底面の一部が変形（弾性変形を含む）可能なようにスリットを形成しておき、当該部位の押し上げにより中皿２を取り外して交換を行うようにしてもよいし、あるいは容器本体１の内側に該容器本体１とは別体の押し上げ部材を開口６に面して配置（嵌合、接着、溶着等の手段で固定しておく。）し、該開口６より指を挿入して該押し上げ部材を介して中皿２を押し上げる構造を採用することも可能であり、その手段は適宜選択が可能である。
【００１７】
クッション部材４の底部には図３に示すように容器本体１の底面に接触する凸部４ａを少なくとも１つ設けることができ、これにより中皿２の大きな動きを抑制して安定保持を図ることが可能となる。
【００１８】
クッション部材４はゴムや熱可塑性エラストマー等の軟質材を必要に応じて適宜選択して用いることが可能で、例えば、ＰＰからなる中枠１ａにインサート成形する場合には、ＰＰに融着するオレフィン系エラストマーやスチレン系エラストマーが選択可能であるが、材質についてとくに限定はされない。また、容器本体１や蓋体３の材質も前記のＡＳやＡＢＳに限るものではなく、ＰＥＴやその他の汎用樹脂を使用することができる。
【００１９】
また、クッション部材４は容器本体１（あるいは中枠）にインサート成形によって設ける場合について説明したが、該クッション部材４は接着剤あるいは溶着によって連結してもよく、この点についても限定はされない。
【００２０】
化粧料容器は、上掲図１に示したコンパクトタイプの容器のみならず、ジャータイプの容器にも適用し得る。
【産業上の利用可能性】
【００２１】
衝撃吸収能が高く、内容物の品質を安定的に保持できる化粧料容器が提供できる。
【図面の簡単な説明】
【００２２】
【図１】本発明にしたがう化粧料容器の外観斜視図である。
【図２】図１に示した容器の要部の分解斜視図である。
【図３】図１に示した容器の他の実施の形態に係わる要部の断面を示した図である。
【符号の説明】
【００２３】
１  容器本体
１ａ  中枠
２  中皿
２ａ  凹部
３  蓋体
４  クッション部材
４ａ  凸部
５  係合片
６  開口
７  塗布具収納空間
ｎ  化粧料収納空間
【図１】
2005304850.tif 000003
【図２】
2005304850.tif 000004
【図３】
2005304850.tif 000005